(57)【要約】【課題】本発明は選別と取る作業を最適化するパーツボックスを開示した。【解決手段】ベースを含み、前記ベースの上側端面には上下に伸びている支持柱が回転できるように連結され、前記支持柱の上端末端にはそれぞれ上下両側から取ることができる一時置き装置が固定的に連結され、前記支持柱には前記一時置き装置の下端に位置している集まりブロックが回転できるように連結され、前記集まりブロックには上方へ開口した受け溝が設置され、且つ前記受け溝は落下したパーツを収集でき、またパーツを落とすことができ、前記受け溝の中の前側内壁にはスライドレールが連通するように設置され、本発明は下方へ伸びている螺旋管の中に太さが違う落下管が設置されたことを利用し、順に規格が違うパーツを選別し、移動携帯のため混乱してしまったパーツを再び区分する。【選択図】図１
2020182927.tif 000002
【特許請求の範囲】
【請求項１】
正面視で、ベースを含み、前記ベースの上側端面には上下に伸びている支持柱が回転できるように連結され、前記支持柱の上端末端にはそれぞれ上下両側から取ることができる一時置き装置が固定的に連結され、前記支持柱には前記一時置き装置の下端に位置している集まりブロックが回転できるように連結され、前記集まりブロックには上方へ開口した受け溝が設置され、且つ前記受け溝は落下したパーツを収集でき、またパーツを落とすことができ、前記受け溝の中の前側内壁にはスライドレールが連通するように設置され、前記スライドレールの中には前記一時置き装置の下側の開閉状態を制御する連結装置がスライドできるように連結され、前記支持柱には固定ロッドが回転できるように連結され、前記固定ロッドにはパイプの直径の大きさが違うことを利用してパーツの大きさを区分する選別装置が設置され、且つ前記選別装置が前記受け溝と連通するように連結され、前記支持柱には前記選別装置の下端に位置している環状溝が設置され、前記環状溝の中には開閉装置がスライドできるように連結され、且つ前記開閉装置は上下移動により前記連結装置を制御し、前記開閉装置は回転により前記選別装置がパーツを投げ入れることを制御することを特徴とする選別と取る作業を最適化するパーツボックス。
【請求項２】
前記一時置き装置は前記支持柱に設置された収納箱を含み、前記収納箱の円周方向の外側に設置された円形枠を含み、前記円形枠と前記収納箱との間には上下に連通している収納チャンバが設置され、前記収納箱には中心対称の四つの仕切り板が固定的に連結され、且つ前記仕切り板が前記収納チャンバを大きさが同じである四つの空間に仕切り、左右両側の前記仕切り板の上側端面にはスライダがスライドできるように連結され、前記収納箱の上側端面には左右対称の半円板が回転できるように連結され、前記半円板の中には下方へ開口した凹溝が設置され、前記凹溝の中には固定軸が回転できるように連結され、前記固定軸には前記スライダとヒンジにより連結された引きロッドが設置され、前記引きロッドの前側端面と前記凹溝の前端内壁との間にはトルクバネが連結され、前記収納チャンバの下端には中心対称の四つの遮りドアが回転できるように連結され、前記遮りドアのうち対称中心に近接している側には開口溝が設置され、前記開口溝にはチェーンロッドが回転できるように連結されたことを特徴とする請求項１に記載の選別と取る作業を最適化するパーツボックス。
【請求項３】
前記連結装置は前記支持柱に設置され、且つ前記スライドレールとスライドできるように連結された回転盤を含み、前記支持柱には前記回転盤の上端に位置している円錐体が回転できるように連結され、前記円錐体には中心対称の四つの昇降ロッドがスライドできるように連結され、且つ前記昇降ロッドがそれぞれ前記チェーンロッドとヒンジにより連結され、前記回転盤とスライドできるように連結されたことを特徴とする請求項１又は請求項２に記載の選別と取る作業を最適化するパーツボックス。
【請求項４】
前記選別装置は、前記固定ロッドと固定的に連結され、且つ中心対称の四つの分類管を含み、その中、前記分類管の高さが順に下がり、且つ前記分類管の高さが低ければ低いほど直径が大きくなり、前記分類管の下端の反時計方向の側の内壁には回転溝が設置され、前記回転溝の中には弾性により復帰できるバルブが回転できるように連結され、前記バルブの下端には回しロッドが設置され、且つ前記回しロッドの長さが順に増加し、前記受け溝の下端内壁には前記回転盤の後端に位置している螺旋管が連通するように設置され、前記固定ロッドと前記螺旋管との間が連通するように連結されたことを特徴とする請求項１に記載の選別と取る作業を最適化するパーツボックス。
【請求項５】
前記開閉装置は、前記環状溝とスライドできるように連結され、且つ中心対称の四つの分類箱を含み、前記分類箱の間が完全なリング状の箱に組み合わせられ、前記分類箱の下端と前記環状溝の下端内壁との間には圧縮バネが連結され、前記分類箱の中には上方へ開口した区別チャンバが設置され、前記区別チャンバの中には前記回しロッドと当接している推し板が設置され、且つ前記推し板の高さが順に減り、即ち一番高い前記推し板が一番短い前記回しロッドに対応しており、前記推し板の上側端面が前記昇降ロッドの下端と固定的に連結されたことを特徴とする請求項１又は請求項３又は請求項４に記載の選別と取る作業を最適化するパーツボックス。
【発明の詳細な説明】
【技術分野】
【０００１】
本発明は鞄用品技術分野を取り上げて、具体的には選別と取る作業を最適化するパーツボックスである。
【背景技術】
【０００２】
従来のパーツボックスはただ複数組の独立したチャンバに仕切られた箱であり、震動された後に内部が混乱するようになり、元の設定のように置かれなくなり、後続の選別と取る作業をする時に、時間を浪費し、操作員の労働量を増加し、本発明は上記の問題を解決できる装置を提出した。
【先行技術文献】
【特許文献】
【０００３】
【特許文献１】中国特許出願公開第１０８０４３７２７号明細書
【発明の概要】
【発明が解決しようとする課題】
【０００４】
本発明は選別と取る作業を最適化するパーツボックスを提供し、従来技術における上記欠点を解消することを目的とする。
【課題を解決するための手段】
【０００５】
本発明の選別と取る作業を最適化するパーツボックスは、ベースを含み、前記ベースの上側端面には上下に伸びている支持柱が回転できるように連結され、前記支持柱の上端末端にはそれぞれ上下両側から取ることができる一時置き装置が固定的に連結され、前記支持柱には前記一時置き装置の下端に位置している集まりブロックが回転できるように連結され、前記集まりブロックには上方へ開口した受け溝が設置され、且つ前記受け溝は落下したパーツを収集でき、またパーツを落とすことができ、前記受け溝の中の前側内壁にはスライドレールが連通するように設置され、前記スライドレールの中には前記一時置き装置の下側の開閉状態を制御する連結装置がスライドできるように連結され、前記支持柱には固定ロッドが回転できるように連結され、前記固定ロッドにはパイプの直径の大きさが違うことを利用してパーツの大きさを区分する選別装置が設置され、且つ前記選別装置が前記受け溝と連通するように連結され、前記支持柱には前記選別装置の下端に位置している環状溝が設置され、前記環状溝の中には開閉装置がスライドできるように連結され、且つ前記開閉装置は上下移動により前記連結装置を制御し、前記開閉装置は回転により前記選別装置がパーツを投げ入れることを制御する。
【０００６】
好ましくは、前記一時置き装置は前記支持柱に設置された収納箱を含み、前記収納箱の円周方向の外側に設置された円形枠を含み、前記円形枠と前記収納箱との間には上下に連通している収納チャンバが設置され、前記収納箱には中心対称の四つの仕切り板が固定的に連結され、且つ前記仕切り板が前記収納チャンバを大きさが同じである四つの空間に仕切り、左右両側の前記仕切り板の上側端面にはスライダがスライドできるように連結され、前記収納箱の上側端面には左右対称の半円板が回転できるように連結され、前記半円板の中には下方へ開口した凹溝が設置され、前記凹溝の中には固定軸が回転できるように連結され、前記固定軸には前記スライダとヒンジにより連結された引きロッドが設置され、前記引きロッドの前側端面と前記凹溝の前端内壁との間にはトルクバネが連結され、前記収納チャンバの下端には中心対称の四つの遮りドアが回転できるように連結され、前記遮りドアのうち対称中心に近接している側には開口溝が設置され、前記開口溝にはチェーンロッドが回転できるように連結され、前記半円板により前記収納チャンバの上側の開閉状態の変化を実現し、前記遮りドアにより前記収納チャンバの下側の開閉状態の変化を実現する。
【０００７】
好ましくは、前記連結装置は前記支持柱に設置され、且つ前記スライドレールとスライドできるように連結された回転盤を含み、前記支持柱には前記回転盤の上端に位置している円錐体が回転できるように連結され、前記円錐体には中心対称の四つの昇降ロッドがスライドできるように連結され、且つ前記昇降ロッドがそれぞれ前記チェーンロッドとヒンジにより連結され、前記回転盤とスライドできるように連結され、前記昇降ロッドにより前記チェーンロッドを制御し、これにより前記収納チャンバの下側に連通しており、また前記円錐体の斜面ガイドによりパーツを前記受け溝の中に落とす。
【０００８】
好ましくは、前記選別装置は、前記固定ロッドと固定的に連結され、且つ中心対称の四つの分類管を含み、その中、前記分類管の高さが順に下がり、且つ前記分類管の高さが低ければ低いほど直径が大きくなり、前記分類管の下端の反時計方向の側の内壁には回転溝が設置され、前記回転溝の中には弾性により復帰できるバルブが回転できるように連結され、前記バルブの下端には回しロッドが設置され、且つ前記回しロッドの長さが順に増加し、前記受け溝の下端内壁には前記回転盤の後端に位置している螺旋管が連通するように設置され、前記固定ロッドと前記螺旋管との間が連通するように連結され、前記分類管に落下を許容されるパーツの規格が異なることを利用し、パーツが前記螺旋管の中でスライドして選別を行い、且つ前記分類管の中に落ちる。
【０００９】
好ましくは、前記開閉装置は、前記環状溝とスライドできるように連結され、且つ中心対称の四つの分類箱を含み、前記分類箱の間が完全なリング状の箱に組み合わせられ、前記分類箱の下端と前記環状溝の下端内壁との間には圧縮バネが連結され、前記分類箱の中には上方へ開口した区別チャンバが設置され、前記区別チャンバの中には前記回しロッドと当接している推し板が設置され、且つ前記推し板の高さが順に減り、即ち一番高い前記推し板が一番短い前記回しロッドに対応しており、前記推し板の上側端面が前記昇降ロッドの下端と固定的に連結され、前記分類箱を引き動かして下方へ移動させることにより、前記昇降ロッドの下方への移動を制御し、更に前記一時置き装置を制御し、また前記分類箱を反時計回りに回転させ、前記推し板と前記回しロッドとの当接により、前記分類管に連通しており、パーツを滑り出させる。
【発明の効果】
【００１０】
本発明の有益効果は：本発明は下方へ伸びている螺旋管の中に太さが違う落下管が設置されたことを利用し、順に規格が違うパーツを選別し、移動携帯のため混乱してしまったパーツを再び区分し、操作員の選別と取る時間を節約し、作業の効率を向上させる。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の選別と取る作業を最適化するパーツボックスの全体構成模式図
【図２】図２は図１の「Ａ―Ａ」の構成模式図
【図３】図３は図１の「Ｂ―Ｂ」の構成模式図
【図４】図４は図２の「Ｃ―Ｃ」の構成模式図
【図５】図５は図３の「Ｄ―Ｄ」の構成模式図
【図６】図６は図５の「Ｅ―Ｅ」の構成模式図
【発明を実施するための形態】
【００１３】
図１〜６を参照し、本発明の実施例の選別と取る作業を最適化するパーツボックスは、ベース２５を含み、前記ベース２５の上側端面には上下に伸びている支持柱２９が回転できるように連結され、前記支持柱２９の上端末端にはそれぞれ上下両側から取ることができる一時置き装置９０１が固定的に連結され、前記支持柱２９には前記一時置き装置９０１の下端に位置している集まりブロック２３が回転できるように連結され、前記集まりブロック２３には上方へ開口した受け溝２２が設置され、且つ前記受け溝２２は落下したパーツを収集でき、またパーツを落とすことができ、前記受け溝２２の中の前側内壁にはスライドレール３５が連通するように設置され、前記スライドレール３５の中には前記一時置き装置９０１の下側の開閉状態を制御する連結装置９０２がスライドできるように連結され、前記支持柱２９には固定ロッド３０が回転できるように連結され、前記固定ロッド３０にはパイプの直径の大きさが違うことを利用してパーツの大きさを区分する選別装置９０３が設置され、且つ前記選別装置９０３が前記受け溝２２と連通するように連結され、前記支持柱２９には前記選別装置９０３の下端に位置している環状溝２８が設置され、前記環状溝２８の中には開閉装置９０４がスライドできるように連結され、且つ前記開閉装置９０４は上下移動により前記連結装置９０２を制御し、前記開閉装置９０４は回転により前記選別装置９０３がパーツを投げ入れることを制御する。
【００１４】
有益的には、前記一時置き装置９０１は前記支持柱２９に設置された収納箱１１を含み、前記収納箱１１の円周方向の外側に設置された円形枠４２を含み、前記円形枠４２と前記収納箱１１との間には上下に連通している収納チャンバ１７が設置され、前記収納箱１１には中心対称の四つの仕切り板３４が固定的に連結され、且つ前記仕切り板３４が前記収納チャンバ１７を大きさが同じである四つの空間に仕切り、左右両側の前記仕切り板３４の上側端面にはスライダ１５がスライドできるように連結され、前記収納箱１１の上側端面には左右対称の半円板１２が回転できるように連結され、前記半円板１２の中には下方へ開口した凹溝１６が設置され、前記凹溝１６の中には固定軸１３が回転できるように連結され、前記固定軸１３には前記スライダ１５とヒンジにより連結された引きロッド１４が設置され、前記引きロッド１４の前側端面と前記凹溝１６の前端内壁との間にはトルクバネ３６が連結され、前記収納チャンバ１７の下端には中心対称の四つの遮りドア３３が回転できるように連結され、前記遮りドア３３のうち対称中心に近接している側には開口溝１８が設置され、前記開口溝１８にはチェーンロッド１９が回転できるように連結され、前記半円板１２により前記収納チャンバ１７の上側の開閉状態の変化を実現し、前記遮りドア３３により前記収納チャンバ１７の下側の開閉状態の変化を実現する。
【００１５】
有益的には、前記連結装置９０２は前記支持柱２９に設置され、且つ前記スライドレール３５とスライドできるように連結された回転盤２４を含み、前記支持柱２９には前記回転盤２４の上端に位置している円錐体２０が回転できるように連結され、前記円錐体２０には中心対称の四つの昇降ロッド２１がスライドできるように連結され、且つ前記昇降ロッド２１がそれぞれ前記チェーンロッド１９とヒンジにより連結され、前記回転盤２４とスライドできるように連結され、前記昇降ロッド２１により前記チェーンロッド１９を制御し、これにより前記収納チャンバ１７の下側に連通しており、また前記円錐体２０の斜面ガイドによりパーツを前記受け溝２２の中に落とす。
【００１６】
有益的には、前記選別装置９０３は、前記固定ロッド３０と固定的に連結され、且つ中心対称の四つの分類管３１を含み、その中、前記分類管３１の高さが順に下がり、且つ前記分類管３１の高さが低ければ低いほど直径が大きくなり、前記分類管３１の下端の反時計方向の側の内壁には回転溝４０が設置され、前記回転溝４０の中には弾性により復帰できるバルブ４１が回転できるように連結され、前記バルブ４１の下端には回しロッド３９が設置され、且つ前記回しロッド３９の長さが順に増加し、前記受け溝２２の下端内壁には前記回転盤２４の後端に位置している螺旋管３２が連通するように設置され、前記固定ロッド３０と前記螺旋管３２との間が連通するように連結され、前記分類管３１に落下を許容されるパーツの規格が異なることを利用し、パーツが前記螺旋管３２の中でスライドして選別を行い、且つ前記分類管３１の中に落ちる。
【００１７】
有益的には、前記開閉装置９０４は、前記環状溝２８とスライドできるように連結され、且つ中心対称の四つの分類箱２７を含み、前記分類箱２７の間が完全なリング状の箱に組み合わせられ、前記分類箱２７の下端と前記環状溝２８の下端内壁との間には圧縮バネ２６が連結され、前記分類箱２７の中には上方へ開口した区別チャンバ３７が設置され、前記区別チャンバ３７の中には前記回しロッド３９と当接している推し板３８が設置され、且つ前記推し板３８の高さが順に減り、即ち一番高い前記推し板３８が一番短い前記回しロッド３９に対応しており、前記推し板３８の上側端面が前記昇降ロッド２１の下端と固定的に連結され、前記分類箱２７を引き動かして下方へ移動させることにより、前記昇降ロッド２１の下方への移動を制御し、更に前記一時置き装置９０１を制御し、また前記分類箱２７を反時計回りに回転させ、前記推し板３８と前記回しロッド３９との当接により、前記分類管３１に連通しており、パーツを滑り出させる。
【００１８】
パーツを入れる時、手で半円板１２を上方へ反転させ、引きロッド１４によりスライダ１５を引き動かして仕切り板３４でスライドさせ、この時、引きロッド１４の回転により、トルクバネ３６が運動エネルギーを蓄積し、パーツを大きさにより異なる収納チャンバ１７の中に置き、半円板１２を放し、トルクバネ３６の弾性復元力により再び収納チャンバ１７の上側開口を閉鎖する。
【００１９】
設備を携帯する時、設備が震動された場合、パーツが元の区域から離れ、この時、分類箱２７を引き動かして下方へ移動させ、推し板３８と、昇降ロッド２１と、チェーンロッド１９とにより遮りドア３３を引き動かして下方へ反転させ、パーツを収納チャンバ１７の中で落下させ、また円錐体２０のガイドにより受け溝２２の中に滑り落ちさせ、そして、パーツが螺旋管３２で下方へスライドし、この時、分類管３１の直径が違うことにより、分類管３１の高さが高い順で、通ることができるパーツは短細型と、長細型と、短粗型と、長粗型であり、順にパーツを選別して分類管３１の中に滑り落ちさせ、また分類箱２７を反時計回りに回転させ、この時、推し板３８と回しロッド３９との当接により回転溝４０を推し動かして下方へ回転させ、パーツが分類管３１の中から滑り出て対応した区別チャンバ３７の中まで至ることができ、需要に応じて相応した規格のパーツを取り、そして分類箱２７を放し、圧縮バネ２６の弾性復元力により、分類箱２７が時計回りにスライドして上方へ移動し、推し板３８と、昇降ロッド２１と、チェーンロッド１９とにより遮りドア３３を推し動かして上方へ反転させ、再び収納チャンバ１７の下側開口を閉鎖する。
【００２０】
本発明の有益効果は：本発明は下方へ伸びている螺旋管の中に太さが違う落下管が設置されたことを利用し、順に規格が違うパーツを選別し、移動携帯のため混乱してしまったパーツを再び区分し、操作員の選別と取る時間を節約し、作業の効率を向上させる。
【００２１】
以上の方式により、本分野の技術者が本発明の範囲内に作動モードにより各種な変化をすることができる。
【図１】
2020182927.tif 000003
【図２】
2020182927.tif 000004
【図３】
2020182927.tif 000005
【図４】
2020182927.tif 000006
【図５】
2020182927.tif 000007
【図６】
2020182927.tif 000008
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
正面視で、ベースを含み、前記ベースの上側端面には上下に伸びている支持柱が回転できるように連結され、前記支持柱の上端末端にはそれぞれ上下両側から取ることができる一時置き装置が固定的に連結され、前記支持柱には前記一時置き装置の下端に位置している集まりブロックが回転できるように連結され、前記集まりブロックには上方へ開口した受け溝が設置され、且つ前記受け溝は落下したパーツを収集でき、またパーツを落とすことができ、前記受け溝の内部前側には上方に開口するスライドレールが前記受け溝と連通になるように設置され、前記スライドレールの中には前記一時置き装置の下側の開閉状態を制御する連結装置が設置され、前記支持柱には固定ロッドが回転できるように連結され、前記固定ロッドにはパイプの直径の大きさが違うことを利用してパーツの大きさを区分する選別装置が設置され、且つ前記選別装置が前記受け溝と連通するように連結され、前記支持柱には前記選別装置の下端に位置している環状溝が設置され、前記環状溝の中には開閉装置がスライドできるように連結され、且つ前記開閉装置は上下移動により前記連結装置を制御し、前記開閉装置は回転により前記選別装置がパーツを投げ入れることを制御することを特徴とする選別と取る作業を最適化するパーツボックス。
【請求項２】
前記一時置き装置は前記支持柱に設置された収納箱を含み、前記収納箱の円周方向の外側に設置された円形枠を含み、前記円形枠と前記収納箱との間には上下に連通している収納チャンバが設置され、前記収納箱には中心対称の四つの仕切り板が固定的に連結され、且つ前記仕切り板が前記収納チャンバを大きさが同じである四つの空間に仕切り、左右両側の前記仕切り板の上側端面にはスライダがスライドできるように連結され、前記収納箱の上側端面には左右対称の半円板が回転できるように連結され、前記半円板の中には下方へ開口した凹溝が設置され、前記凹溝の中には固定軸が回転できるように連結され、前記固定軸には前記スライダとヒンジにより連結された引きロッドが設置され、前記引きロッドの前側端面と前記凹溝の前端内壁との間にはトルクバネが連結され、前記収納チャンバの下端には中心対称の四つの遮りドアが回転できるように連結され、前記遮りドアのうち対称中心に近接している側には開口溝が設置され、前記開口溝にはチェーンロッドが回転できるように連結されたことを特徴とする請求項１に記載の選別と取る作業を最適化するパーツボックス。
【請求項３】
前記連結装置は前記支持柱に設置され、且つ前記スライドレールと前記スライドレールの円周方向でスライドできるように連結された回転盤を含み、前記支持柱には前記回転盤の上端に位置している円錐体が回転できるように連結され、前記円錐体には中心対称の四つの昇降ロッドがスライドできるように連結され、且つ前記昇降ロッドがそれぞれ前記チェーンロッドとヒンジにより連結され、前記回転盤とスライドできるように連結されたことを特徴とする請求項２に記載の選別と取る作業を最適化するパーツボックス。
【請求項４】
前記選別装置は、前記固定ロッドと固定的に連結され、且つ中心対称の四つの分類管を含み、その中、前記分類管の高さが順に下がり、且つ前記分類管の高さが低ければ低いほど直径が大きくなり、前記分類管の下端の反時計方向の側の内壁には回転溝が設置され、前記回転溝の中には弾性により復帰できるバルブが回転できるように連結され、前記バルブの下端には回しロッドが設置され、且つ前記回しロッドの長さが順に増加し、前記受け溝の下端内壁には前記回転盤の後端に位置している螺旋管が連通するように設置され、前記分類管と前記螺旋管とは連通していることを特徴とする請求項３に記載の選別と取る作業を最適化するパーツボックス。
【請求項５】
前記開閉装置は、前記環状溝とスライドできるように連結され、且つ中心対称の四つの分類箱を含み、前記分類箱の間が完全なリング状の箱に組み合わせられ、前記分類箱の下端と前記環状溝の下端内壁との間には圧縮バネが連結され、前記分類箱の中には上方へ開口した区別チャンバが設置され、前記区別チャンバの中には前記回しロッドと当接している推し板が設置され、且つ前記推し板の高さが順に減り、即ち一番高い前記推し板が一番短い前記回しロッドに対応しており、前記推し板の上側端面が前記昇降ロッドの下端と固定的に連結されたことを特徴とする請求項４に記載の選別と取る作業を最適化するパーツボックス。
【手続補正２】
【補正対象書類名】明細書
【補正対象項目名】全文
【補正方法】変更
【補正の内容】
【発明の詳細な説明】
【技術分野】
【０００１】
本発明は鞄用品技術分野を取り上げて、具体的には選別と取る作業を最適化するパーツボックスである。
【背景技術】
【０００２】
従来のパーツボックスはただ複数組の独立したチャンバに仕切られた箱であり、震動された後に内部が混乱するようになり、元の設定のように置かれなくなり、後続の選別と取る作業をする時に、時間を浪費し、操作員の労働量を増加し、本発明は上記の問題を解決できる装置を提出した。
【先行技術文献】
【特許文献】
【０００３】
【特許文献１】中国特許出願公開第１０８０４３７２７号明細書
【発明の概要】
【発明が解決しようとする課題】
【０００４】
本発明は選別と取る作業を最適化するパーツボックスを提供し、従来技術における上記欠点を解消することを目的とする。
【課題を解決するための手段】
【０００５】
本発明の選別と取る作業を最適化するパーツボックスは、ベースを含み、前記ベースの上側端面には上下に伸びている支持柱が回転できるように連結され、前記支持柱の上端末端にはそれぞれ上下両側から取ることができる一時置き装置が固定的に連結され、前記支持柱には前記一時置き装置の下端に位置している集まりブロックが回転できるように連結され、前記集まりブロックには上方へ開口した受け溝が設置され、且つ前記受け溝は落下したパーツを収集でき、またパーツを落とすことができ、前記受け溝の内部前側には上方に開口するスライドレールが前記受け溝と連通になるように設置され、前記スライドレールの中には前記一時置き装置の下側の開閉状態を制御する連結装置が設置され、前記支持柱には固定ロッドが回転できるように連結され、前記固定ロッドにはパイプの直径の大きさが違うことを利用してパーツの大きさを区分する選別装置が設置され、且つ前記選別装置が前記受け溝と連通するように連結され、前記支持柱には前記選別装置の下端に位置している環状溝が設置され、前記環状溝の中には開閉装置がスライドできるように連結され、且つ前記開閉装置は上下移動により前記連結装置を制御し、前記開閉装置は回転により前記選別装置がパーツを投げ入れることを制御する。
【０００６】
好ましくは、前記一時置き装置は前記支持柱に設置された収納箱を含み、前記収納箱の円周方向の外側に設置された円形枠を含み、前記円形枠と前記収納箱との間には上下に連通している収納チャンバが設置され、前記収納箱には中心対称の四つの仕切り板が固定的に連結され、且つ前記仕切り板が前記収納チャンバを大きさが同じである四つの空間に仕切り、左右両側の前記仕切り板の上側端面にはスライダがスライドできるように連結され、前記収納箱の上側端面には左右対称の半円板が回転できるように連結され、前記半円板の中には下方へ開口した凹溝が設置され、前記凹溝の中には固定軸が回転できるように連結され、前記固定軸には前記スライダとヒンジにより連結された引きロッドが設置され、前記引きロッドの前側端面と前記凹溝の前端内壁との間にはトルクバネが連結され、前記収納チャンバの下端には中心対称の四つの遮りドアが回転できるように連結され、前記遮りドアのうち対称中心に近接している側には開口溝が設置され、前記開口溝にはチェーンロッドが回転できるように連結され、前記半円板により前記収納チャンバの上側の開閉状態の変化を実現し、前記遮りドアにより前記収納チャンバの下側の開閉状態の変化を実現する。
【０００７】
好ましくは、前記連結装置は前記支持柱に設置され、且つ前記スライドレールと前記スライドレールの円周方向でスライドできるように連結された回転盤を含み、前記支持柱には前記回転盤の上端に位置している円錐体が回転できるように連結され、前記円錐体には中心対称の四つの昇降ロッドがスライドできるように連結され、且つ前記昇降ロッドがそれぞれ前記チェーンロッドとヒンジにより連結され、前記回転盤とスライドできるように連結され、前記昇降ロッドにより前記チェーンロッドを制御し、これにより前記収納チャンバの下側に連通しており、また前記円錐体の斜面ガイドによりパーツを前記受け溝の中に落とす。
【０００８】
好ましくは、前記選別装置は、前記固定ロッドと固定的に連結され、且つ中心対称の四つの分類管を含み、その中、前記分類管の高さが順に下がり、且つ前記分類管の高さが低ければ低いほど直径が大きくなり、前記分類管の下端の反時計方向の側の内壁には回転溝が設置され、前記回転溝の中には弾性により復帰できるバルブが回転できるように連結され、前記バルブの下端には回しロッドが設置され、且つ前記回しロッドの長さが順に増加し、前記受け溝の下端内壁には前記回転盤の後端に位置している螺旋管が連通するように設置され、前記分類管と前記螺旋管とは連通しており、前記分類管に落下を許容されるパーツの規格が異なることを利用し、パーツが前記螺旋管の中でスライドして選別を行い、且つ前記分類管の中に落ちる。
【０００９】
好ましくは、前記開閉装置は、前記環状溝とスライドできるように連結され、且つ中心対称の四つの分類箱を含み、前記分類箱の間が完全なリング状の箱に組み合わせられ、前記分類箱の下端と前記環状溝の下端内壁との間には圧縮バネが連結され、前記分類箱の中には上方へ開口した区別チャンバが設置され、前記区別チャンバの中には前記回しロッドと当接している推し板が設置され、且つ前記推し板の高さが順に減り、即ち一番高い前記推し板が一番短い前記回しロッドに対応しており、前記推し板の上側端面が前記昇降ロッドの下端と固定的に連結され、前記分類箱を引き動かして下方へ移動させることにより、前記昇降ロッドの下方への移動を制御し、更に前記一時置き装置を制御し、また前記分類箱を反時計回りに回転させ、前記推し板と前記回しロッドとの当接により、前記分類管に連通しており、パーツを滑り出させる。
【発明の効果】
【００１０】
本発明の有益効果は：本発明は下方へ伸びている螺旋管の中に太さが違う落下管が設置されたことを利用し、順に規格が違うパーツを選別し、移動携帯のため混乱してしまったパーツを再び区分し、操作員の選別と取る時間を節約し、作業の効率を向上させる。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の選別と取る作業を最適化するパーツボックスの全体構成模式図
【図２】図２は図１の「Ａ―Ａ」の構成模式図
【図３】図３は図１の「Ｂ―Ｂ」の構成模式図
【図４】図４は図２の「Ｃ―Ｃ」の構成模式図
【図５】図５は図３の「Ｄ―Ｄ」の構成模式図
【図６】図６は図５の「Ｅ―Ｅ」の構成模式図
【発明を実施するための形態】
【００１３】
図１〜６を参照し、本発明の実施例の選別と取る作業を最適化するパーツボックスは、ベース２５を含み、前記ベース２５の上側端面には上下に伸びている支持柱２９が回転できるように連結され、前記支持柱２９の上端末端にはそれぞれ上下両側から取ることができる一時置き装置９０１が固定的に連結され、前記支持柱２９には前記一時置き装置９０１の下端に位置している集まりブロック２３が回転できるように連結され、前記集まりブロック２３には上方へ開口した受け溝２２が設置され、且つ前記受け溝２２は落下したパーツを収集でき、またパーツを落とすことができ、前記受け溝２２の内部前側には上方に開口するスライドレール３５が前記受け溝２２と連通になるように設置され、前記スライドレール３５の中には前記一時置き装置９０１の下側の開閉状態を制御する連結装置９０２が設置され、前記支持柱２９には固定ロッド３０が回転できるように連結され、前記固定ロッド３０にはパイプの直径の大きさが違うことを利用してパーツの大きさを区分する選別装置９０３が設置され、且つ前記選別装置９０３が前記受け溝２２と連通するように連結され、前記支持柱２９には前記選別装置９０３の下端に位置している環状溝２８が設置され、前記環状溝２８の中には開閉装置９０４がスライドできるように連結され、且つ前記開閉装置９０４は上下移動により前記連結装置９０２を制御し、前記開閉装置９０４は回転により前記選別装置９０３がパーツを投げ入れることを制御する。
【００１４】
有益的には、前記一時置き装置９０１は前記支持柱２９に設置された収納箱１１を含み、前記収納箱１１の円周方向の外側に設置された円形枠４２を含み、前記円形枠４２と前記収納箱１１との間には上下に連通している収納チャンバ１７が設置され、前記収納箱１１には中心対称の四つの仕切り板３４が固定的に連結され、且つ前記仕切り板３４が前記収納チャンバ１７を大きさが同じである四つの空間に仕切り、左右両側の前記仕切り板３４の上側端面にはスライダ１５がスライドできるように連結され、前記収納箱１１の上側端面には左右対称の半円板１２が回転できるように連結され、前記半円板１２の中には下方へ開口した凹溝１６が設置され、前記凹溝１６の中には固定軸１３が回転できるように連結され、前記固定軸１３には前記スライダ１５とヒンジにより連結された引きロッド１４が設置され、前記引きロッド１４の前側端面と前記凹溝１６の前端内壁との間にはトルクバネ３６が連結され、前記収納チャンバ１７の下端には中心対称の四つの遮りドア３３が回転できるように連結され、前記遮りドア３３のうち対称中心に近接している側には開口溝１８が設置され、前記開口溝１８にはチェーンロッド１９が回転できるように連結され、前記半円板１２により前記収納チャンバ１７の上側の開閉状態の変化を実現し、前記遮りドア３３により前記収納チャンバ１７の下側の開閉状態の変化を実現する。
【００１５】
有益的には、前記連結装置９０２は前記支持柱２９に設置され、且つ前記スライドレール３５と前記スライドレール３５の円周方向でスライドできるように連結された回転盤２４を含み、前記支持柱２９には前記回転盤２４の上端に位置している円錐体２０が回転できるように連結され、前記円錐体２０には中心対称の四つの昇降ロッド２１がスライドできるように連結され、且つ前記昇降ロッド２１がそれぞれ前記チェーンロッド１９とヒンジにより連結され、前記回転盤２４とスライドできるように連結され、前記昇降ロッド２１により前記チェーンロッド１９を制御し、これにより前記収納チャンバ１７の下側に連通しており、また前記円錐体２０の斜面ガイドによりパーツを前記受け溝２２の中に落とす。
【００１６】
有益的には、前記選別装置９０３は、前記固定ロッド３０と固定的に連結され、且つ中心対称の四つの分類管３１を含み、その中、前記分類管３１の高さが順に下がり、且つ前記分類管３１の高さが低ければ低いほど直径が大きくなり、前記分類管３１の下端の反時計方向の側の内壁には回転溝４０が設置され、前記回転溝４０の中には弾性により復帰できるバルブ４１が回転できるように連結され、前記バルブ４１の下端には回しロッド３９が設置され、且つ前記回しロッド３９の長さが順に増加し、前記受け溝２２の下端内壁には前記回転盤２４の後端に位置している螺旋管３２が連通するように設置され、前記分類管３１と前記螺旋管３２とは連通しており、前記分類管３１に落下を許容されるパーツの規格が異なることを利用し、パーツが前記螺旋管３２の中でスライドして選別を行い、且つ前記分類管３１の中に落ちる。
【００１７】
有益的には、前記開閉装置９０４は、前記環状溝２８とスライドできるように連結され、且つ中心対称の四つの分類箱２７を含み、前記分類箱２７の間が完全なリング状の箱に組み合わせられ、前記分類箱２７の下端と前記環状溝２８の下端内壁との間には圧縮バネ２６が連結され、前記分類箱２７の中には上方へ開口した区別チャンバ３７が設置され、前記区別チャンバ３７の中には前記回しロッド３９と当接している推し板３８が設置され、且つ前記推し板３８の高さが順に減り、即ち一番高い前記推し板３８が一番短い前記回しロッド３９に対応しており、前記推し板３８の上側端面が前記昇降ロッド２１の下端と固定的に連結され、前記分類箱２７を引き動かして下方へ移動させることにより、前記昇降ロッド２１の下方への移動を制御し、更に前記一時置き装置９０１を制御し、また前記分類箱２７を反時計回りに回転させ、前記推し板３８と前記回しロッド３９との当接により、前記分類管３１に連通しており、パーツを滑り出させる。
【００１８】
パーツを入れる時、手で半円板１２を上方へ反転させ、引きロッド１４によりスライダ１５を引き動かして仕切り板３４でスライドさせ、この時、引きロッド１４の回転により、トルクバネ３６が運動エネルギーを蓄積し、パーツを大きさにより異なる収納チャンバ１７の中に置き、半円板１２を放し、トルクバネ３６の弾性復元力により再び収納チャンバ１７の上側開口を閉鎖する。
【００１９】
設備を携帯する時、設備が震動された場合、パーツが元の区域から離れ、この時、分類箱２７を引き動かして下方へ移動させ、推し板３８と、昇降ロッド２１と、チェーンロッド１９とにより遮りドア３３を引き動かして下方へ反転させ、パーツを収納チャンバ１７の中で落下させ、また円錐体２０のガイドにより受け溝２２の中に滑り落ちさせ、そして、パーツが螺旋管３２で下方へスライドし、この時、分類管３１の直径が違うことにより、分類管３１の高さが高い順で、通ることができるパーツは短細型と、長細型と、短粗型と、長粗型であり、順にパーツを選別して分類管３１の中に滑り落ちさせ、また分類箱２７を反時計回りに回転させ、この時、推し板３８と回しロッド３９との当接により回転溝４０を推し動かして下方へ回転させ、パーツが分類管３１の中から滑り出て対応した区別チャンバ３７の中まで至ることができ、需要に応じて相応した規格のパーツを取り、そして分類箱２７を放し、圧縮バネ２６の弾性復元力により、分類箱２７が時計回りにスライドして上方へ移動し、推し板３８と、昇降ロッド２１と、チェーンロッド１９とにより遮りドア３３を推し動かして上方へ反転させ、再び収納チャンバ１７の下側開口を閉鎖する。
【００２０】
本発明の有益効果は：本発明は下方へ伸びている螺旋管の中に太さが違う落下管が設置されたことを利用し、順に規格が違うパーツを選別し、移動携帯のため混乱してしまったパーツを再び区分し、操作員の選別と取る時間を節約し、作業の効率を向上させる。
【００２１】
以上の方式により、本分野の技術者が本発明の範囲内に作動モードにより各種な変化をすることができる。